(57)【要約】      （修正有）【課題】  紙幣を紙幣収納ボックス内に収納する時には、押圧ローラが押圧板の内部に引き込まれ、押圧板の押圧力が紙幣に均等に加わり紙幣が不揃いに収納される恐れも少ない紙幣処理装置を提供する。【解決手段】    紙幣搬送機構と釣銭用小額紙幣の収納ボックス６０とスタック機構５０とを配設した下部筐体１０と、下部筐体１０に開閉可能に枢支された上部筐体２０と、前記収納ボックスへの搬入通路部３４と外部への排出通路部３５を有し、下部筐体１０と上部筐体２０との間に貫通画成された紙幣搬送路３０と、外部からの精算要求に基づいて収納ボックス内の小額紙幣を釣銭として払い出す釣銭返却装置７０を備えた紙幣処理装置であって、前記釣銭返却装置７０は、両端に押圧ローラ７２を有する回転軸４３ａと回転軸４３ａを回転駆動する駆動モータ７３とを備え、スタック機構５０の押圧板５３内部に押圧ローラ７２が押圧板５３下面より出没可能に配設したものである。【選択図】  図１
2006302235.tif 000002
【特許請求の範囲】
【請求項１】
紙幣搬送機構と釣銭用小額紙幣の収納ボックスとスタック機構とを配設した下部筐体と、下部筐体に開閉可能に枢支された上部筐体と、前記収納ボックスへの搬入通路部と外部への排出通路部を有し前記下部筐体と上部筐体との間に貫通画成された紙幣搬送路と、外部からの精算要求に基づいて前記収納ボックス内の小額紙幣を釣銭として払い出す釣銭返却装置を備えた紙幣処理装置であって、
前記釣銭返却装置は、両端に押圧ローラを有する回転軸と該回転軸を回転駆動する駆動モータとを備え、前記スタック機構の押圧板内部に前記押圧ローラが押圧板下面より出没可能に配設した
ことを特徴とする紙幣処理装置。
【請求項２】
前記釣銭返却装置は、遊技媒体貸機に設けた精算ボタンを操作することによりスタック機構の押圧板が下降し、前記押圧ローラが紙幣に接触した時点の押圧力を検出して作動する
ことを特徴とする請求項１記載の紙幣処理装置。
【請求項３】
前釣銭返却装置は、前記紙幣挿入口の下側に重設された紙幣返却口と前記収納ボックスの前壁に形成した排出孔と該紙幣返却口と排出孔とを連通させる返却通路を介して釣銭を返却した
ことを特徴とする請求項１記載および請求項２記載の紙幣処理装置。
【発明の詳細な説明】
【技術分野】
【０００１】  本発明は、自動販売機、両替機、パチンコ玉貸機、メダル貸機などに使用される紙幣処理装置、特に、高額紙幣の投入に対して、その釣銭を返却することができる紙幣処理装置に関する。
【背景技術】
【０００２】  一般に紙幣を取り扱う自動販売機、両替機、パチンコ玉貸機、メダル貸機などの機器本体内あるいはそれらの機器に関連付けされ、投入された紙幣金種を識別して、少なくとも高額紙幣（現在では、２０００円以上の紙幣を対象としている。）と小額紙幣（以下、千円紙幣と言う）とを分別収容した後に、収納されている小額紙幣を高額紙幣の釣銭として払い出す紙幣処理装置が知られている。例えば、特公平７−１１０３００「遊技用玉貸機の高額紙幣両替装置」で開示されている装置は、紙幣投入口から千円紙幣を千円紙幣の収納エリアを有する紙幣用計数整列機に連通するメイン通路内に設けられた搬送ベルトの片面側に投入すると、該搬送ベルトの移動に順じて、投入された千円紙幣の真贋チェックを行なうとともに真券の場合は千円分の玉貸しができるように構成している。また、所定枚数の千円紙幣を貯溜できる釣銭保管部を前記メイン通路内に切換ガイドを介して連通できるようにメイン通路の反対側となる前記搬送ベルトの背面側に設けている。この釣銭保管部には、前記紙幣投入口より投入される千円紙幣が所定枚数になるまでメイン通路より給送可能に設定してある。更に、前記紙幣用計数整列機には５千円または１万円の高額紙幣の収納エリアを設け、その高額紙幣を前記紙幣投入口から前記メイン通路内に投入すると、真贋チェックが行なわれて真券の場合にはメイン通路内より前記紙幣計数整列機側へ搬送しながら千円分の玉貸しを行うとともに、前記釣銭保管部より釣銭相当数の千円紙幣を前記搬送ベルトにより搬出して払い出しができるようにしている。【０００３】  一方、識別装置を備えた紙幣処理装置にあっては、投入された紙幣が識別装置を通過した後に引き抜き、再度投入し、投入金額をごまかすなどの不正を未然に防止するために、引き抜き防止ようのシャッターが搬送路の途中に設けられているのが一般的である。例えば、実開平３−１１３４７５の第２図中符号９ａ、９ｂ、９ｃを参照。（特許文献２）【０００４】  しかしながら、上記した従来の技術は、高額紙幣が投入されると、その紙幣の真贋を識別したのちに、千円分の玉貸しを行うと同時に釣銭を払い出していた。このため、続けて遊技を実施する場合には、再度紙幣を投入する必要があり、遊技者にとっては煩わしく、しかも、釣銭を払い出す必要上メイン通路に投入紙幣の引き抜き防止のための機構を設けることができなくなり、一度投入した紙幣を識別したのちに引き抜くことが可能となり、投入金額をごまかしたり、釣銭を不法に受け取ったりするなどの不正行為が行なわれる恐れがあるなどの問題点があった。【０００５】  この出願の発明に関連する先行技術文献としては次のものがある。
【特許文献１】特公平７−１１０３００「遊技用玉貸機の高額紙幣両替装置」
【特許文献２】実開平３−１１３４７５「紙幣識別機・・第２図中符号９ａ、９ｂ、９ｃ」
【非特許文献】  なし
【発明の開示】
【発明が解決しようとする課題】
【０００６】  本発明は、上記の従来の技術が有する問題を解決するためになされたものであり、その目的は、遊技媒体貸機の貸出ボタンを操作することによって、投入された高額紙幣の金額の範囲で連続して遊技を続行することができ、しかも遊技終了時に精算ボタンを操作すれば投入紙幣の金額と遊技に使用した遊技媒体（例えば、メダル）の使用金額が比較され釣銭を払い戻すための釣銭返却装置を紙幣処理装置のスタック機構に配設してスタック機構の操作に連動させて作動させることによって極めて簡単で省スペース化が図れ、しかも引き抜き防止機構と関係なく釣銭の払い出しを可能にしたため、一度投入した紙幣を真券と識別した後に紙幣が引き抜かれることがなく、投入金額がごまかされたり、釣銭を不法に搾取されたりするなどの不正行為を未然に防止することができ、しかも紙幣を紙幣収納ボックス内に収納する時には、押圧ローラが押圧板の内部に引き込まれ、押圧板の押圧力が紙幣に均等に加わり紙幣が不揃いに収納される恐れも少ない紙幣処理装置を提供するものである。
【課題を解決するための手段】
【０００７】  上記課題を解決するため、本発明においては、紙幣搬送機構と釣銭用小額紙幣の収納ボックスとスタック機構とを配設した下部筐体と、下部筐体に開閉可能に枢支された上部筐体と、前記収納ボックスへの搬入通路部と外部への排出通路部を有し前記下部筐体と上部筐体との間に貫通画成された紙幣搬送路と、外部からの精算要求に基づいて前記収納ボックス内の小額紙幣を釣銭として払い出す釣銭返却装置を備えた紙幣処理装置であって、前記釣銭返却装置は、両端に押圧ローラを有する回転軸と該回転軸を回転駆動する駆動モータとを備え、前記スタック機構の押圧板内部に前記押圧ローラが押圧板下面より出没可能に配設したものである。【０００８】  上記のように構成することにより、精算ボタンが操作されるまでは、投入された高額紙幣の金額の範囲で連続して遊技を続行することが可能で、しかも精算ボタンを操作して釣銭を払い出す時には、一旦完全に紙幣収納ボックス内に整然と集積された紙幣を直接釣銭として使用するため、紙幣の保管時に不正行為が行なわれる恐れが極めて少なく釣銭が確実に払い出される。しかも、紙幣収納ボックス内に整然と集積された紙幣を返却機構で使用するため、折り返しの痕跡や重ねた状態で払いだされる恐れが少ない。更に、釣銭返却装置を既存のスタック機構に配設するため、紙幣処理装置を大型化することなく付加価値の向上が図れる。また、紙幣を紙幣収納ボックス内に収納する時には、押圧ローラが押圧板の内部に引き込まれるので押圧板の押圧力が紙幣に均等に加わり紙幣が不揃いに収納される恐れも少ない。【０００９】  次の発明は、前記釣銭返却装置は、遊技媒体貸機に設けた精算ボタンを操作することによりスタック機構の押圧板が下降し、前記押圧ローラが紙幣に接触した時点の押圧力を検出して作動するものである。【００１０】  上記のように構成することにより、極めて簡単な構造で、しかも紙幣処理装置を大型化することなく付加価値の向上が図ることができ、かつ、貸出ボタンの操作で投入された高額紙幣の金額の範囲で連続して遊技を続行することが可能なばかりか遊技終了時に精算ボタンを操作すれば投入紙幣の金額と遊技に使用したメダルの使用金額が比較され釣銭が払い出され、しかも適正な押圧力で紙幣を押し出すことができ、紙幣を複数重ねて押し出す事態が生ずる恐れが少ない。【００１１】  次の発明は、前釣銭返却装置は、前記紙幣挿入口の下側に形成した紙幣返却口と前記収納ボックスの前板に形成した排出孔と該紙幣返却口と排出孔とを連通させる返却通路を介して釣銭を返却したものである。【００１２】  上記のように構成することにより、紙幣の投入から収納までの搬送搬送路とは、別の紙幣返却経路を介して釣銭を払い出すことにより、既存の紙幣搬送機構、引き抜き防止機構等に関係なくスムースに釣銭を払い戻すことができる。
【発明の効果】
【００１３】  以上のように、本発明によれば、遊技媒体貸機の貸出ボタンを操作することによって、投入された高額紙幣の金額の範囲で連続して遊技を続行することができ、しかも遊技終了時に精算ボタンを操作すれば投入紙幣の金額と遊技に使用した遊技媒体（例えば、メダル）の使用金額が比較され釣銭を払い戻すための釣銭返却装置を紙幣処理装置のスタック機構に配設してスタック機構の操作に連動させて作動させることによって極めて簡単で省スペース化が図れ、しかも引き抜き防止機構と関係なく釣銭の払い出しを可能にしたため、一度投入した紙幣を真券と識別した後に紙幣が引き抜かれることがなく、投入金額がごまかされたり、釣銭を不法に搾取されたりするなどの不正行為を未然に防止することができ、しかも紙幣を紙幣収納ボックス内に収納する時には、押圧ローラが押圧板の内部に引き込まれ、押圧板の押圧力が紙幣に均等に加わり紙幣が不揃いに収納される恐れも少ない。
【発明を実施するための最良の形態】
【００１４】  以下、本発明を実施するための最良の形態を、図面に基づいて説明する。図１は、本発明の要部を示した長手断面相当図、図２は、本発明の釣銭返却装置の配置を示した上面図図３は、本発明の釣銭返却装置を備えたスタック機構の作動前の状態を示した説明図、図４は、同作動後の状態を示した説明図、図５は、本発明の紙幣処理装置の遊技機島取り付け状態を示した概略説明図、図６は、遊技媒体貸機を示した正面図である。【００１５】  本発明の紙幣処理装置１００は、図５に示すように、遊技機８０（本実施例では、スロットマシン）と遊技媒体貸機９０（メダル貸機）とを交互に多数並設するとともにそれらの遊技機８０と遊技媒体貸機９０の上方に紙幣搬送装置８５を架設して構築された遊技機島の紙幣搬送装置８５に取付けられている。即ち、各紙幣処理装置１００は、紙幣搬送装置８５の各遊技媒体貸機９０に対応した位置に取付けられている。従って、遊技媒体貸機９０に対して、上方に離間していて、遊技者が投入した紙幣Ｍは、紙幣処理装置１００の前面（遊技媒体貸機９０側）に形成された紙幣挿入部から投入され、後面に形成された紙幣排出口３６（紙幣搬送装置８５側）から排出され、紙幣搬送装置８５に送り込まれる。この送り込まれた紙幣Ｍは、紙幣搬送装置８５の端部に設置された回収金庫８９に金種別に分別収納される。【００１６】  該紙幣処理装置１００は、全体として長矩形の箱状に形成された下部筐体１０と、この下部筐体１０に枢支軸２１を中心として開閉可能に軸支された上部筐体２０と、下部筐体１０と上部筐体２０との間に画成され、紙幣処理装置１００の前方から後方まで貫通した紙幣搬送路３０とを備えている。【００１７】  下部筐体１０の内部には、上部を紙幣搬送路３０に突出した紙幣搬送機構４０と、該紙幣搬送機構４０の下側に配設されたスタック機構５０と下部に画成された釣銭用の紙幣収納ボックス６０とを備えている。【００１８】  上部筐体２０の内部には、識別装置２２（一部は下部筐体１０側に取付けられている）と、引き抜き防止機構２３が配設されていて、枢支軸２１により、下部筐体１０に対して開閉可能に軸止されている。【００１９】  紙幣搬送路３０は、下部筐体１０と上部筐体２０との間に画成され、紙幣処理装置１００の前方から後方まで貫通している。この紙幣搬送路３０は、下部筐体１０の前部に設けられた紙幣挿入部１１と連通する紙幣挿入口３１から下流方向に識別通路部３２、搬送通路部３３、搬入通路部３４を経由して紙幣収納ボックス６０に至る通路と、搬送通路部３３から排出通路部３５を介して紙幣排出口３６に至る通路が形成されている。そして、搬入通路部３４と排出通路部３５の分岐部には、切り替え機構３７が設けられていて所望に応じて搬入通路部３４あるいは排出通路部３５のいずれかを選択開通させている。【００２０】  そして、紙幣搬送路３０の識別通路部３２を通過する紙幣Ｍは、上部筐体２０に配設されている識別装置２２によって紙幣Ｍの真贋、金種が識別される。この識別装置２２は、紙幣挿入口３１側に配設された紙幣投入確認用の反射赤外線センサ２２ａと、発光部と受光部からなる透過型赤外線センサ２２ｂ（尚、発光部と受光部は、識別通路部３２を挟んで上���筐体２０と下部筐体１０に各々配設されている。）、搬送通路部３３側に配設された磁気ヘッドと磁気ドラムからなる磁気センサ２２ｃ（磁気ヘッドと磁気ドラムは、識別通路部３２を挟んで上部筐体２０と下部筐体１０に各々配設されている。）とを備えている。【００２１】  搬送通路部３３には、上部筐体２０に配設された引き抜き防止機構２３が下流方向にのみ回動可能に垂下されている。即ち、紙幣Ｍが下流に搬送される時には、引き抜き防止機構２３が回動して紙幣Ｍの通過を許容し、紙幣Ｍが引き抜き防止機構２３を通過した後には、紙幣Ｍが上流に引き戻されるのを阻止している。【００２２】  搬送通路部３３を通過した紙幣Ｍは、搬入通路部３４と排出通路部３５の分岐部に設けられた切り替え機構３７によって、搬入通路部３４あるいは排出通路部３５のいずれかに搬送される。即ち、識別装置２２で小額紙幣（千円紙幣）と判定された紙幣Ｍは、紙幣収納ボックス６０の収納限度まで搬入通路部３４を経由して紙幣収納ボックス６０の内部に集積される。また、識別装置２２で高額紙幣（２千円紙幣以上の紙幣）と判定された場合には、切り替え機構３７が切り替えられ、高額紙幣は、排出通路部３５を経由して紙幣排出口３６から紙幣搬送装置８５に送り込まれ、遊技機島の端部に配設された回収金庫８９に分別収納される。尚、紙幣収納ボックス６０の内部に集積された小額紙幣が収納限度に達すると切り替え機構３７が切り替えられ高額紙幣同様回収金庫８９に分別収納される。【００２３】  紙幣搬送機構４０は、図１、図２に示すように、下部筐体１０の内部上方（紙幣搬送路３０の下側部分）に配設されている。この紙幣搬送機構４０は、下部筐体１０の搬入通路部３４側に配設された駆動部分と下部筐体１０の識別通路部３２側に配設された従動部分とを備えている。そして、駆動部分は、駆動モータ４１と、スタック機構５０の作動軸４２ａを有するクラッチ部４２と、回転軸４３ａを有する伝達部４３と、回転軸４３ａの両端に固定された駆動ギア４４とより構成され、従動部分は、回転軸４５とその両端に固定された従動ギア４６より構成されている。この駆動ギア４４と従動ギア４６には搬送ベルト４７が巻架されている。この搬送ベルト４７は、紙幣搬送路３０より僅かに上方に位置するように設定され、搬送ベルト４７の上に紙幣Ｍを載置して搬送する。【００２４】  この紙幣搬送機構４０は、駆動モータ４１を正転させると、この回転はクラッチ部４２を介して伝達部４３に伝達され、回転軸４３ａを時計回りに回転させる。この回転軸４３ａの回転により駆動ギア４４が回転し搬送ベルト４７を時計回りに回転させる。同時に従動ギア４６も同方向に回転する。この搬送ベルト４７の回転により紙幣Ｍを収納方向に搬送する。このとき、クラッチ部４２に用いられているクラッチは、所謂一方向クラッチと称されるもので、駆動モータ４１が正転する場合には、クラッチ機能を作用させない。従って、このときには、作動軸４２ａは回転せず、よってスタック機構５０も駆動しない。【００２５】  次に、紙幣搬送機構４０が正転して搬送された紙幣Ｍが搬送通路部３３から搬入通路部３４に送りこまれ、搬入通路部３４に設けられた紙幣通過確認センサ３４ａを通過すると、その通過検出後、一定時間経過（概ね、紙幣Ｍが紙幣収納ボックス６０の紙幣一時係留部材６１に係留されるまでの時間）すると駆動モータ４１が逆転する。この駆動モータ４１の逆転がクラッチ部４２を介して伝達部４３に伝達され、回転軸４３ａを反時計回りに回転させる。この回転軸４３ａの回転により駆動ギア４４が逆回転し搬送ベルト４７を反時計回りに回転させる。同時に従動ギア４６も同方向に回転する。この搬送ベルト４７の逆回転により次の紙幣Ｍを紙幣挿入口３１から搬送通路部３３の内部に取り込む準備をする。このとき、クラッチ部４２に用いられているクラッチは、所謂一方向クラッチと称されるもので、駆動モータ４１が逆転する場合には、クラッチ機能が作用し、作動軸４２ａを回転させ、後述するスタック機構５０を作動させて紙幣収納ボックス６０の紙幣一時係留部材６１に係留されている紙幣Ｍを紙幣収納ボックス６０の内部に収納する。搬送ベルト４７は、同軸上に固定され排出通路部３５側に位置する大径の駆動ギア４４と、搬入通路部３４側に位置する小径の従動ギア４６に巻架されている。また、搬送通路部３３の下側の中間近傍には、駆動ギア４４を回転させる駆動モータ４１と、駆動モータ４１の動力を駆動ギア４４に伝達する伝達部４３が配設されている。そして、この搬送ベルト４７は、紙幣搬送路３０の両側から若干露出するようにして下部筐体１０の内部に配設されている。尚、この紙幣搬送機構４０は、駆動モータ４１の正転、逆転の切り替えによって、紙幣Ｍの搬送方向を切り替えることができる。【００２６】  スタック機構５０は、下部筐体１０の上部筐体２０側に設けられた境壁１２（紙幣搬送路３０の底壁を担っている）に一体に形成されているブラケット１２ａに取付けられている。
そして、このスタック機構５０は、クラッチ部４２に設けられた作動軸４２ａの回転によって、往復動する作動杆５１とこの作動杆５１の往復動によって上下するパンタグラフ構造のリンク５２とこのリンク５２に支持された押圧板５３とで構成されている。【００２７】  釣銭用の紙幣収納ボックス６０は、その内部に上面に紙幣Ｍを積載するスタッカープレート６２と、このスタッカープレート６２を下面から常時押圧するコイルスプリング６３とが配設されている。そして、この紙幣収納ボックス６０の側壁には、断面がコの字形状の紙幣一時係留部材６１が形成され、前壁には、紙幣の排出孔６４が穿設されている。前述したように、紙幣一時係留部材６１に取り込まれた紙幣Ｍは、紙幣一時係留部材６１上面に一時係留された後に押圧板５３によって紙幣一時係留部材６１の間から紙幣収納ボックス６０の内部に押し込まれスタッカープレート６２上に載置される。この押し込まれた紙幣Ｍは、コイルスプリング６３によって上方に押し上げられるが、スタッカープレート６２が紙幣一時係留部材６１の下面に当接するため紙幣収納ボックス６０からスタック機構５０側に飛び出すようなことはない。従って、押し込まれた紙幣Ｍは紙幣一時係留部材６１とスタッカープレート６２との間に順次押し込まれ積層収容された状態で押圧挟持される。【００２８】  釣銭返却装置７０は、スタック機構５０の押圧板５３内部に配設されている。そして、この釣銭返却装置７０は、押圧板５３の両壁に回転可能に軸止された回転軸７１とこの回転軸７１の両端に取付けられた押圧ローラ７２と回転軸７１を回転させる駆動モータ７３とより構成されている。図示しないがこの回転ローラ７２の内部には、一般に用いられているスプリングと押圧センサが内蔵されている。そして、この押圧ローラ７２は、押圧板５３に形成された角孔５３ａから紙幣収納ボックス６０側に出没可能に僅かに突出している。【００２９】  一方、下部筐体１０に形成された紙幣挿入部１１の下側には、紙幣返却口１３が重設されている。そして、この紙幣返却口１３から紙幣収納ボックス６０の前壁に穿設された紙幣の排出孔６４に至る返却通路１４が形成されている。また、この返却通路１４の内部には、排出孔６４の近傍を含めて３組のガイドローラ６４ａ、６４ｂ、６４ｃと枚数検出センサ６４ｄが配設されている。【００３０】  遊技媒体貸機９０は、図に示すように、公知の遊技媒体貸機の機能に加え、高額紙幣対応として、貸出ボタン９１と、精算ボタン９２ならびに貸出枚数、売上、異常表示などを随時表示する共通表示部９３と、残額表示部９４とが設けられている。尚、９５は、メダルの払出ノズルである。【００３１】  次に、紙幣Ｍの搬送について説明する。紙幣Ｍが紙幣挿入部１１から紙幣処理装置１００に投入されると、上部筐体２０に配設されている識別装置２２の内の反射赤外線センサ２２ａでその投入が確認され、その信号を紙幣搬送機構４０の駆動制御部（図示しない）に送信する。この時点で、紙幣Ｍが贋作と判断された場合には紙幣搬送機構４０には駆動信号は送信されない。従って紙幣搬送機構４０は駆動しない。次に、反射赤外線センサ２２ａの投入確認の信号を受けて、紙幣搬送機構４０が駆動して搬送��ルト４７を正方向（紙幣排出口３６方向）に回転させる。この回転により搬送ベルト４７上に紙幣Ｍを取り込み搬送する。その次に、搬送ベルト４７上に取り込まれた紙幣Ｍは、透過型赤外線センサ２２ｂによって透過光量で紙幣Ｍの真贋と金種が識別される。ここで贋作と判断された場合には、その信号を紙幣搬送機構４０の駆動制御部（図示しない）に送信し、搬送ベルト４７を逆転させ、偽紙幣を返却する。尚、金種の識別が不確定の場合も同様に返却する。更に、搬送ベルト４７上の紙幣Ｍは、磁気センサ２２ｃによって紙幣Ｍの印刷に用いたインクなどに含まれている磁気を検出して紙幣Ｍの真贋と金種が識別される。ここの時点で贋作と判断された場合には、その信号を紙幣搬送機構４０の駆動制御部（図示しない）に送信され、搬送ベルト４７を逆転させ、偽紙幣を返却する。尚、このときも同様に金種の識別が不確定な場合には返却される。更に、紙幣Ｍは搬送されて行き、引き抜き防止機構２３に至る。そして、引き抜き防止機構２３に衝突して回動軸を中心として回転させながらその下側を通過する。紙幣Ｍが通過し終わると引き抜き防止機構２３はスプリングなどの復元力で元の位置に復帰する。ここで、紙幣Ｍが引き抜き防止機構２３を通過したことを切り替え機構３７の制御部（図示しない）に信号を送る。（この時点で紙幣Ｍが贋作でないと確定する。）。そして、この時に送信された信号が、金種が高額紙幣の場合には、切り替え機構３７は作動せず、紙幣Ｍはそのまま紙幣搬送機構４０により排出通路部３５から紙幣排出口３６に搬送され、紙幣搬送装置８５を経由して端末の金庫８９（図１参照）に分別収納される。次に、金種が小額紙幣の場合には、切り替え機構３７がソレノイド（図示しない）など任意の方法で切り替えられる。即ち、搬入通路部３４を開放して排出通路部３５を閉鎖する（図１中２点鎖線で示す）。このため、紙幣搬送機構４０によって搬送されてきた紙幣Ｍは、搬入通路部３４からスタック機構５０によって紙幣収納ボックス６０に送り込まれ、紙幣収納ボックス６０に所定枚数積層収納される。その結果、小額紙幣が紙幣収納ボックス６０に所定枚数積層されると、そのデータが任意の方法（カウンター、位置センサなど）で確認され、その信号が切り替え機構３７の制御部に送信され、ソレノイド（図示しない）などを作動さして、切り替え機構３７を切り替える。即ち、搬入通路部３４を閉鎖して排出通路部３５を開放する。このことにより、紙幣収納ボックス６０には、所定枚数以上に小額紙幣は収納されることはない。そして、前述の小額紙幣はそのまま紙幣搬送機構４０により排出通路部３５から紙幣排出口３６に搬送され、紙幣搬送装置８５を経由して端末の金庫８９に分別収納される。【００３２】  次に、遊技者が高額紙幣を使用して遊技媒体を借りる場合について説明する。まず、遊技者が高額紙幣を紙幣処理装置１００に投入すると、前述したように紙幣搬送機構４０によって搬送され、引き抜き防止機構２３を通過した時点で、その信号が遊技媒体貸機９０の制御部（図示しない）に送られ、遊技媒体貸機９０から最小単位（小額紙幣で払い出せる枚数）のメダルを払出ノズル９５から遊技機８０側に払い出す。そして、その結果である払出枚数を共通表示部９３に表示するとともに残金を残額表示部９４に表示する。そして、メダルを新規に払い出すときは、貸出ボタン９１を押して最小単位のメダルを払い出す。【００３３】  次に、遊技者が釣銭を要求した場合について説明する。特に、本発明では、遊技者が釣銭を払い出す要求を行なったときに、初めて釣銭の払い出し機能が作用する。【００３４】  遊技者が、遊技媒体貸機９０の精算ボタン９２を押すと、遊技媒体貸機９０の制御部（図示しない）で釣銭の額の計算と釣銭用の紙幣Ｍの有無を確認して、適格と判断した場合に、その信号が紙幣搬送機構４０の駆動制御部（図示しない）に送信される。そして、この信号に基づいて、紙幣搬送機構４０の駆動モータ４１が逆転する。この駆動モータ４１が逆転により、搬送ベルト４７も逆転するが紙幣Ｍが載置されていないので特に紙幣Ｍが搬送されるようなことはない。そして、クラッチ部４２がクラッチ機能を発揮して作動軸４２ａを回転させて、スタック機構５０を作動させ押圧板５３を下降させる。そして、押圧板５３が紙幣収納ボックス６０の紙幣一時係留部材６１を越えて紙幣収納ボックス６０の内部まで下降し、押圧板５３に配設された釣銭返却装置７０の押圧ローラ７２が集積されている紙幣Ｍに接触する。この押圧ローラ７２の紙幣Ｍへの押圧力を検出する。【００３５】  押圧ローラ７２の紙幣Ｍへの押圧力が検出された結果の信号が釣銭返却装置７０の駆動制御部（図示しない）に送られると駆動モータ７３が回転し回転軸７１を回転させる。この回転軸７１の回転により押圧ローラ７２が回転して紙幣Ｍを送出す。更に、この釣銭返却装置７０と同時に紙幣収納ボックス６０の前壁に形成された排出孔６４の前後に配設されたガイドローラ６４ａ、６４ｂ並びに紙幣返却口１３の奥に配設されたガイドローラ６４ｃも回転する。従って、紙幣収納ボックス６０から送出された紙幣Ｍは、ガイドローラ６４ａのよって排出孔６４に送られ、その後ガイドローラ６４ｂで上方に方向転換し返却通路１４の内部を通過して再度ガイドローラ６４ｃで方向転換され紙幣返却口１３から遊技者に払い出される。尚、本実施例では、紙幣返却口１３を紙幣挿入部１１と別に形成したが、紙幣挿入部１１と紙幣返却口１３を兼ねる構成にすることも可能である。
【図面の簡単な説明】
【００３６】
【図１】本発明の要部を示した長手断面相当図である。
【図２】本発明の釣銭返却装置の配置を示した上面図である。
【図３】本発明の釣銭返却装置を備えたスタック機構の作動前の状態を示した説明図である。
【図４】同作動後の状態を示した説明図である。
【図５】本発明の紙幣処理装置の遊技機島への取り付け状態を示した概略説明図である。
【図６】本発明の遊技媒体貸機を示した正面図である。
【符号の説明】
【００３７】１００  紙幣処理装置
１０  下部筐体
１１  紙幣挿入部
１２  境壁
１２ａ  ブラケット
１３  紙幣返却口
１４  返却通路
２０  上部筐体
２１  枢支軸
２２  識別装置
２２ａ  反射赤外線センサ
２２ｂ  透過型赤外線センサ
２２ｃ  磁気センサ
２３  引き抜き防止機構
３０  紙幣搬送路
３１  紙幣挿入口
３２  識別通路部
３３  搬送通路部
３４  搬入通路部
３４ａ  紙幣通過確認センサ
３５  排出通路部
３６  紙幣排出口
３７  切り替え機構
４０  紙幣搬送機構
４１  駆動モータ
４２  クラッチ部
４２ａ  作動軸
４３  伝達部
４３ａ  回転軸
４４  駆動ギア
４５  回転軸
４６  従動ギア
４７  搬送ベルト
５０  スタック機構
５１  作動杆
５２  リンク
５３  押圧板
５３ａ  角孔
６０  紙幣収納ボックス
６１  紙幣一時係留部材
６２  スタッカープレート
６３  コイルスプリング
６４  排出孔
６４ａ、６４ｂ、６４ｃ  ガイドローラ
６４ｄ  枚数検出センサ
７０  釣銭返却装置
７１  回転軸
７２  押圧ローラ
７３  駆動モータ
８０  遊技機
８５  紙幣搬送装置
８９  回収金庫
９０  遊技媒体貸機
９１  貸出ボタン
９２  精算ボタン
９３  共通表示部
９４  残額表示部
９５  払出ノズル
Ｍ  紙幣
【図１】
2006302235.tif 000003
【図２】
2006302235.tif 000004
【図３】
2006302235.tif 000005
【図４】
2006302235.tif 000006
【図５】
2006302235.tif 000007
【図６】
2006302235.tif 000008